(57)【要約】【課題】自動車検査員が使いやすく、指定整備記録簿、保安基準適合証の発行にかかる時間を短縮する事を目的とすると同時に点検ステッカー、保安基準適合証の発行状況の管理・印刷をすることができる自動車整備業務管理システムを得ることを目的とする。【解決手段】  自動車検査証を入力する入力手段及び記憶部、検査機器等による検査結果を入力することにより制動力の合否計算する計算装置、指定整備記録簿及び保安基準適合証の印刷事項を入力する入力手段を備えることにより指定整備記録簿及び保安基準適合証に印刷ができるようになり自動車検査員の指定整備記録簿及び保安基準適合証の発行にかかる時間を短縮できると同時に、車検時及び定期点検等時に点検ステッカーの番号を入力する入力手段及び記憶部、その記憶部により点検ステッカーの発行状況の管理・印刷及び保安基準適合証の発行状況の管理・印刷ができる特徴を備える自動車整備業務管理システム。【選択図】図１
2008192118.tif 000002
【特許請求の範囲】
【請求項１】
自動車検査証のデータを入力する入力手段、入力したデータを自動車検査証データ記憶部に記憶する記憶装置、自動車検査証データ記憶部に記憶したデータを指定整備記録簿・保安基準適合証データ入力部に呼び込む出力装置、検査機器等による検査結果を入力し、制動力の合否計算をする計算装置、指定整備記録簿・保安基準適合証を印刷するデータを入力する入力手段を備えおり、指定整備記録簿及び保安基準適合証に印刷ができることにより自動車検査員の業務時間の短縮ができることを特徴とする自動車検査員用の自動車車検整備業務管理システム。
【請求項２】
車検時に発行する点検ステッカーの番号を保安基準適合証の印刷と同時に入力する入力手段、定期点検等により発行する点検ステッカー番号を自動車検査証データ記憶部より入力する入力手段、それぞれ入力したデータを点検ステッカー集計記憶部に記憶する記憶装置を備えており、その点検ステッカー集計記憶部により点検ステッカー発行状況及び指定整備元帳（保安基準適合証の発行状況）を管理・印刷できることを特徴とする自動車車検整備業務システム。
【発明の詳細な説明】
【技術分野】
【０００１】  本発明は、指定整備工場において、自動車車検整備業務を行っている自動車検査員の書類作成業務である指定整備記録簿及び保安基準適合証の発行の時間短縮及び保安基準適合証の発行状況の管理、点検ステッカーの発行状況の管理ができる自動車車検整備業務管理システムに関するものである。
【背景技術】
【０００２】  自動車検査員が指定整備記録簿、保安基準適合証を発行する際に従来の自動車車検整備業務管理システムは、車検見積・請求書等が一体で作成していた。
【発明が解決しようとする課題】
【０００３】上述のような従来の自動車車検整備業務管理システムは、自動車検査員が指定整備記録簿、保安基準適合証を発行するのに不必要な部分（車検見積、請求書等）が多く、手書きにより作成することが多く、時間がかかっていた。又、点検ステッカーの発行状況、保安基準適合証の発行状況（指定整備元帳）の管理・印刷ができるシステムがなかった。自動車検査員が使いやすく、指定整備記録簿、保安基準適合証の発行にかかる時間を短縮する事を目的とすると同時に点検ステッカー、保安基準適合証の発行状況の管理・印刷をすることができる自動車整備業務管理システムを得ることを目的とする
【課題を解決するための手段】
【０００４】  指定整備記録簿、保安基準適合証の印刷及び点検ステッカー・保安基準適合証の発行状況の管理・印刷を兼ねた自動車車検整備業務管理システム。
【発明の効果】
【０００５】  この発明の自動車車検整備業務管理システムは、不必要な部分（車検見積、請求書等）がないので、指定整備記録簿、保安基準適合証の印刷がスムーズにでき、点検ステッカー・保安基準適合証の発行状況の管理・印刷もできる。
【発明を実施するための最良の形態】
【０００６】  図１は本発明の実施の形態を示す自動車車検業務管理システムのブロック図である。【０００７】  まず、Ｓ１にて、自動車検査証データ記憶部に顧客の自動車検査証のデータを入力する。次に、Ｓ１で入力したデータを指定整備記録簿・保安基準適合証データ入力部に呼び込み、Ｓ２にて検査機器等による検査結果を入力し制動力の合否計算をする。次に、Ｓ３にて指定整備記録簿に印刷するその他の事項を入力することにより、Ｓ４にて指定整備記録簿を印刷できる。【０００８】  次に、Ｓ５にて保安基準適合証の印刷データを入力し、Ｓ６にて車検時に使用する点検ステッカーの番号を入力し点検ステッカー集計記憶部に記憶することにより、Ｓ７にて保安基準適合証を印刷できる。【０００９】  Ｓ８にて定期点検等に使用する点検ステッカーの番号を入力し、点検ステッカー集計記憶部に記憶する。【００１０】  点検ステッカー集計記憶部により点検ステッカー・保安基準適合証の発行状況の管理がされ、Ｓ９にて、Ｓ６で記憶されたデータにより、指定整備元帳を印刷できる。又、Ｓ１０にて、Ｓ６で記憶されたデータとＳ７で記憶されたデータにより、点検ステッカーの発行状況を印刷できる。【００１１】  次にこの発明の自動車車検業務管理システムの詳細を図２から図９に基づき説明する。【００１２】  図２は、自動車検査証入力画面を示す。この画面にて自動車検査証のデータを入力し自動車検査証データ記憶部に記憶する。【００１３】  図３は、指定整備記録簿・保安基準適合証データ入力部の画面を示す。ここに自動車検査証データ記憶部に記憶した自動車検査証のデータを図３の２に呼び込む。【００１４】  図４は、検査機器等による点検結果入力及び指定整備記録簿その他印刷事項の入力画面を示す。図３のＢ１の結果合否ボタンにて表示し、図４の４には、実際測定した検査機器等による検査結果（制動力、前照灯、速度計の誤差、指示系の振れ、サイドスリップ、ＣＯ、ＨＣ、前部霧灯の有無、タイヤの振れの良否、警音器の良否、定常走行騒音の良否、排気騒音の良否、黒煙の濃度）を入力し、制動力の合否計算をする。図４の５には指定整備記録簿に印刷するその他の事項（ブレーキの前輪及び後輪の厚み、点検年月日、整備完了年月日、整備主任者、総走行距離、受付年月日、点検実施者、整備実施者、検査の年月日、検査員氏名、適合証番号、標章交付の有無）を入力する。【００１５】  図５は図４の４の制動力に係る部分を抜粋したものを示す。図５の６欄には前軸の右の制動力、７欄には前軸の左の制動力、８欄には後軸の右の制動力、９欄には後軸に左の制動力、１０欄には手動ブレーキの制動力を実際に測定した数値を入力する。図５の１１には自動車の前軸重に５５を足した数値、１２には自動車の後軸重を入力する。【００１６】  次に図５のＢ４の結果合否ボタンにて、図４の１３欄には６と７と８と９を足した数値、１４欄にはと８と９を足した数値と１２の割合、１５欄には１１と１２を足した数値、１６欄には６と７の差、１７欄に１１と１６の割合、１８欄には８と９の差、１９欄には１２と１８の割合、２０欄には１３と１５の割合、２１欄には１０と１５の割合を表示する。【００１７】  図４にデータを入力し終わったら、図３のＢ２の記録簿画面印刷ボタンにて、指定整備記録簿の印刷ができる。【００１８】  ここまでの段階で図３の１及び２にデータが入力される構造なので、次に、図３の３に自賠責保険のデータ（保険期間、証明書番号、保険会社、保険契約者）を入力する。【００１９】  図６は、保安基準適合証の確認画面を示す。図３のＢ３の適合証印刷画面ボタンにて表示し、この画面にて印刷事項の確認をする。【００２０】  図７は車検時における点検ステッカーの入力画面を示す。保安基準適合証の確認画面の次に表示される。図７の２２のデータ（日付、適合証番号、登録番号、氏名）は保安基準適合証の確認画面より自動で呼び込まれ、図７に２３に年度、点検種別、点検ステッカー番号を入力し点検ステッカー集計記憶部に記憶する。【００２１】  点検ステッカー番号を入力し記憶すると保安基準適合証の印刷ができる。【００２２】  図８は定期点検等時における点検ステッカーの入力画面を示す。自動車検査証データ記憶部より表示され、図８の２４のデータ（日付、登録番号、氏名）は自動車車検証の記憶データより自動に入力され、図８の２５に年度、点検種別、ステッカー番号を入力し点検ステッカー集計記憶部に記憶する。【００２３】  図９は、点検ステッカー集計記憶部の画面を示す。図１のＳ６とＳ８によりこの部分に記憶され、点検ステッカーの発行状況及びに保安基準適合証の発行状況の管理をしている。【００２４】  図９のＢ５の点検ステッカー管理台帳ボタンにて、点検ステッカーの発行状況の印刷ができる。【００２５】  また、図１のＳ６にて保安基準適合証の番号も保存しているので、図９のＢ６の指定元帳印刷ボタンにて、指定整備元帳の印刷ができる。【００２６】  以上のようにしたので、指定整備記録簿・保安基準適合証の作成がスムーズにでき、同時に点検ステッカーの発行状況の管理・印刷及び保安基準適合証の発行状況の管理、指定整備元帳の印刷ができる。
【図面の簡単な説明】
【００２７】
【図１】  本発明の実施の形態を示すブロック図である。
【図２】  自動車検査証の入力画面である。
【図３】  指定整備記録簿・保安基準適合証データ入力部の画面である。
【図４】  検査機器等による検査結果入力、指定整備記録簿のその他印刷事項を入力する画面である。
【図５】  図４の検査機器等による点検結果入力部分の制動力の部分を抜粋した図である。
【図６】  保安基準適合証の入力事項の確認画面である。
【図７】  車検時における点検ステッカーの年度、番号等の入力画面である。
【図８】  定期点検等時における点検ステッカーの年度、番号等の入力画面である。
【図９】  点検ステッカー集計記憶部の画面である。
【符号の説明】
【００２８】    Ｓ１    自動車検査証のデータ入力
Ｓ２    検査機器等による検査結果入力
Ｓ３    指定整備記録簿その他印刷事項入力
Ｓ４    指定整備記録簿印刷
Ｓ５    保安基準適合証印刷データ入力
Ｓ６    点検ステッカー番号入力（車検時）
Ｓ７    保安基準適合証印刷
Ｓ８    点検ステッカー番号入力（定期点検等時）
Ｓ９    指定整備元帳印刷
Ｓ１０  点検ステッカー発行状況印刷
１    保安基準適合証入力欄
２    自動車検査証入力欄
３    自賠責保険入力欄
４    検査機器による結果入力欄
５    指定整備記録簿のその他の印刷事項入力欄
６    前軸右の制動力を入力する欄
７    前軸左の制動力を入力する欄
８    後軸右の制動力を入力する欄
９    後軸左の制動力を入力する欄
１０  手動ブレーキの制動力を入力する欄
１１  自動車の前軸重＋５５を入力する欄
１２  自動車の後軸重を入力する欄
１３  前軸と後軸の制動力の和を表示する欄
１４  （後軸の制動力の和）と（後軸重）の割合を表示する欄
１５  （前軸重＋５５）と（後軸重）の和を表示する欄
１６  前軸の制動力の左右差を表示する欄
１７  （前軸重＋５５）と（前軸の制動力の左右差）の割合を表示する欄
１８  後軸の制動力の左右差を表示する欄
１９  （後軸重）と（後軸の制動力の左右差）の割合を表示する欄
２０  （前軸と後軸の制動力の和）と（前軸重＋５５と後軸重の和）の割合を表示する欄
２１  （手動ブレーキ）と（前軸重＋５５と後軸重の和）の割合を表示する欄
２２  車検時における点検ステッカーの日付、保安基準適合証番号、登録番号、氏名を表示する欄
２３  車検時における点検ステッカーの年度、点検種別、ステッカー番号を入力する欄
２４  定期点検等における点検ステッカーの日付、登録番号、氏名を表示する欄
２５  定期点検等における点検ステッカーの年度、点検種別、ステッカー番号を入力する欄
Ｂ１  検査結果合否ボタン
Ｂ２  指定整備記録簿印刷ボタン
Ｂ３  保安基準適合証印刷ボタン
Ｂ４  制動力の合否計算ボタン
Ｂ５  点検ステッカー管理台帳印刷ボタン
Ｂ６  指定整備元帳印刷ボタン
【図１】
2008192118.tif 000003
【図２】
2008192118.tif 000004
【図３】
2008192118.tif 000005
【図４】
2008192118.tif 000006
【図５】
2008192118.tif 000007
【図６】
2008192118.tif 000008
【図７】
2008192118.tif 000009
【図８】
2008192118.tif 000010
【図９】
2008192118.tif 000011